(57)【要約】【課題】これまで２０センチを超える長さのある根菜類は移植不可能であるのが常識であった。又近年圃場での夏場高温下の作業に加え大雨や乾燥が加わり過酷な労働に引き合わない播種の結果もまま起こりうる。又加えてつらい間引き作業を何度か繰り返す必要があり、これらの過酷な作業を省く技術が待たれていた。【解決手段】生分解性の樹脂で固めた大鋸屑で作られた移植用成型体（１１）で根菜類の苗を育て直接これを圃場に植え付ける。移植用成型体（１１）は中に貫通穴（１２）がありこの穴の内壁を根菜類の直根が伝って伸びていく、これを移植する。この時早く正確に植えつけるために穴空きテープ（１３）や成型肥料（１４）を補助資材として使う。この穴空きテープ（１３）は植え付けたらすぐに外すので繰り返し使用が可能である。この方法を使えば大幅な省力化と安定した根菜類の栽培が可能となる。【選択図】図１
2020167987.tif 000002
【特許請求の範囲】
【請求項１】
農業で根菜類を移植によって生産するときに使う移植用成型体（１１）であって、土中に於いて微生物によって分解する生分解性の樹脂で固めた大鋸屑を主成分とする棒状の物で、その中心部には貫通穴（１２）があり、根菜類の直根が貫通穴（１２）の内壁を伝う様に伸びて生育すように構成され、上部に種を発芽させその後生育する苗を支えるための播種用の窪み（１６）が設けてある根菜類の移植用成型体。
【請求項２】
堆肥を成型し、乾燥させ、容易に扱えるようにした棒状の成型肥料（１４）であって、圃場に掘った植え溝の中で一直線に多数を連結するために、その端面にお互い嵌め合う結合用凹凸（１９）が付けてあり、又その上面には所定のピッチの移植用成型体固定用の窪み（１５）が付けてある成型肥料。
【請求項３】
請求項１に記載の移植用成型体（１１）と請求項２に記載の成型肥料（１４）を使用した根菜類の移植方法であって、成型肥料（１４）の上面に付いている移植用成型体固定用の窪み（１５）と同じピッチで穴を開けた穴空きテープ（１３）を準備し、この穴空きテープ（１３）の位置決め用穴（１８）に移植用成型体（１１）を通して、その下端を成型肥料（１４）の窪み（１５）に差込み、位置を決めていくことによって移植用成型体（１１）を圃場に掘った植え溝の中で水平方向と植え付けピッチを正確に保持することができる根菜類の移植方法。
【請求項４】
穴空きテープ（１３）の位置決め用穴（１８）は、あるピッチごとで穴の形を変えてあり、一目で最適の植え付け間隔が分かり易くしてある請求項３に記載の根菜類の移植方法。
【発明の詳細な説明】
【技術分野】
【０００１】  本発明は農業に於いて根菜類のニンジンやごぼうなどを移植を使い安定した作柄を実現するためと、厳しい労働を除外し大幅な省力化を図るためのものである。
【背景技術】
【０００２】  これまでも移植は一般的に行われているが長さ２０センチから７０センチを超えるような根菜類を移植できそうな技術は見つからない。これは水で濡れたこのように長い移植体を取り扱うのが不可能であることにほかならない。特許文献１などに移植の技術に触れているが、長さ２０センチ以上の根菜類を移植できそうな技術に関しては何も述べてはいない。特許文献２に述べてあるのは栄養や水分の乏しい圃場での栽培に関するものであり、また特許文献３は手軽な高畝の手法であり、特許文献３にあるのは球根性の作物の収穫を簡単にする手法であって、根菜類の移植に関することには触れていない。
【先行技術文献】
【特許文献】
【０００３】
【特許文献１】特開平９−３０８３８６号公報
【特許文献２】特開平１１−１５１０３４号公報
【特許文献３】特開２００７−３００８０５号公報
【発明が解決しようとする課題】
【０００４】  このように、従来知られている野菜の移植方法には、長さ２０センチから７０センチを超えるような根菜類を移植できそうな技術は見つからない。
【課題を解決するための手段】
【０００５】  ニンジンやごぼうの栽培で移植を使っているのを見聞きしたことがない。これは簡単には実現できないからに他ならない。さらに機械化などにはかなりなノウハウの蓄積が必要と思われる。本発明は移植栽培を実現させるための第一歩となる技術である。先ず２０センチを超える水に濡れた状態でも、手で扱える強度を持つ移植体を実現させる手法、これは大鋸屑を生分解性樹脂で固めたもので、その上部に種を発芽させる為の窪みを設け、そこから下端まで貫通穴が中心にあけてある。この穴の内壁を根菜類の直根は伝うようにして成長する。これの過程は屋内で最適な温度の環境で行い、十分な長さまで根が伸びてから移植する。この手法によりこれまで不可能と思われた根菜類の移植を実現する。
【発明の効果】
【０００６】  本発明の根菜類の移植方法による生産性は品質を揃えるだけでなく、厳しい気候条件の中での作業である播種、間引き等、大幅な省力化を期待できる技術である。
【図面の簡単な説明】
【０００７】
【図１】圃場に於ける各部材の配置と構成を示す図。
【図２】移植用成型体を自動播種と発芽、育苗のために集合させた状態を示す図。
【図３】圃場に植えつけられた状態を示す断面図。
【発明を実施するための形態】
【０００８】  本発明は根菜類の栽培で根が２本や３本に別れる現象がついて回る。これを防ぐために直根の元になる根が分かれずに真っ直ぐ下に伸びていくよう調整された、生分解性樹脂で大鋸屑を固めて作られた移植用成型体（１１）がある。根はこの中心部に空けられた貫通穴（１２）の内壁を伝い伸びていく性質を利用している。この（１１）は圃場で移植する時に必要である正確な間隔と垂直な姿勢を保って植え付ける専用の資材である。もちろんこの成形体は水で濡れた状態で半月以上置かれても、手で一本一本扱っても崩れない強度を保つものである。
【０００９】  中心部に貫通穴（１２）が空いている形状の成型体（１１）を製造し用意する。これの上部端面には種を発芽させるための窪み（１８）が設けてある。この移植体を１００本単位で容器内に整列させ自動種蒔き機で種を上部の窪みに播種し、保湿のために上から短繊維を振り掛ける。これに水を与えて発芽に適した、温度と湿度を保ち、発芽させ、直根が十分な長さに育ったら、優良な苗だけを選別し圃場に移植する。
【００１０】  十分に苗が育った移植体（１１）を圃場に植える時は圃場に植え溝を掘り、溝の上部中央に穴開きテプ（１３）を張りその穴を通して植える事によって適正な間隔を取って植えることが可能となる。この穴はあるピッチで穴の形を丸や三角四角と変えてあり、適切な間隔を選びやすく作られている。
【００１１】  圃場に掘った植え溝に植え付けるとき、堆肥を成型乾燥して作られた成型肥料（１４）を溝の底に、端面に設けられた結合用凹凸（１９）を組み合わせて一直線かつ水平に並べ、溝の上に穴空きテープ（１３）を張り、この穴を通して移植体（１１）を立て底に並べた成型肥料（１４）の上面に設けた窪みに（１１）の下端を嵌めて垂直に立て、土を溝に戻し植え、畝を立てて植え付ける。
【符号の説明】
【００１２】１１    移植用成型体
１２    貫通穴
１３    穴空きテープ
１４    成型肥料
１５    移植用成型体固定用の窪み
１６    播種用の窪み
１７    移植用成型体の収納容器
１８    位置決め用穴
１９    結合用凹凸
【図１】
2020167987.tif 000003
【図２】
2020167987.tif 000004
【図３】
2020167987.tif 000005